(57)【特許請求の範囲】
【請求項１】
被測定者の足に接触する足部電極と、足部電極を備え測定時に被測定者が乗る人体載置部と、被測定者の手に接触する手部電極と、手部電極を備え測定時に被測定者が手で把持する把持部と、前記足部電極と手部電極の間のインピーダンスを測定するインピーダンス測定手段と、被測定者の身体的特徴をあらわす被測定者情報を入力する入力手段と、前記足部電極と手部電極の間のインピーダンスと被測定者情報から被測定者の生体に関する情報を計算する計算手段と、計算手段による計算結果を表示する報知手段を有し、入力手段と、報知手段と、把持部を一体に構成した手元操作部を備えるとともに、人体載置部と手元操作部を電気的に接続するためのケーブルで接続し、ケーブルを収納する凹部を人体載置部に設けた生体情報測定装置であって、手元操作部を凹部の蓋として人体載置部に一体的に収納した状態で手元操作部を人体載置部に固定する少なくとも１つの係止手段を、手元操作部あるいは人体載置部に有し、係止手段により固定された状態において、手元操作部に一体に構成される前記把持部が、生体情報測定装置全体の把手として兼用可能となる生体情報測定装置。
【請求項２】
ケーブルは、人体載置部側は凹部の内部面から人体載置部内部に接続され、手元操作部側は、人体載置面凹部側に面した面から手元操作部内部に接続される、請求項１に記載の生体情報測定装置。
【請求項３】
人体載置部には、手元操作部との接触面に少なくとも１カ所に凹部或いは凸部を設け、手元操作部には、人体載置部の凹部或いは凸部に対向する位置に凸部或いは凹部を設け、手元操作部と人体載置部が凹凸で係止し、収納時に手元操作部が人体載置部に保持される請求項１または２に記載の生体情報測定装置。
【請求項４】
人体載置部は、基台部と、基台部に支えられたカバー部を有し、カバー部の一部に凹部を形成した請求項１〜３のいずれか１項に記載の生体情報測定装置。
【請求項５】
人体載置部は、基台部と、基台部に支えられた踏み台部と、踏み台部を覆うカバー部を有し、踏み台部の上面の一部を開口し、開口した箇所にカバー部の凹部が挿入され人体載置部の凹部となる請求項１〜３のいずれか１項に記載の生体情報測定装置。
【請求項６】
人体載置部は、基台部と、基台部に支えられた踏み台部と、踏み台部を覆うカバー部を有し、踏み台部の上面の一部を凹部に形成し、形成した踏み台部の凹部に、一部を凹部に形成したカバー部の凹部が挿入され、人体載置部の凹部となる請求項１〜３のいずれか１項に記載の生体情報測定装置。
【請求項７】
人体載置部を構成する、カバー部の凹部と基台部は、それぞれ少なくとも１つの穴を有し、凹部に貯まった液体は穴を介して人体載置部外に排出される構成とした請求項４または５に記載の生体情報測定装置。
【請求項８】
人体載置部を構成する、カバー部の凹部と踏み台部の凹部と基台部は、それぞれ少なくとも１つの穴を有し、凹部に貯まった液体は穴を介して人体載置部外に排出される構成とした請求項６に記載の生体情報測定装置。
【請求項９】
人体載置部を構成する、カバー部の凹部の底面は漏斗形状で形成され、凹部に貯まった液体は漏斗形状の先端から、人体載置部外に排出される構成とした請求項４〜８のいずれか１項に記載の生体情報測定装置。
【請求項１０】
人体載置部の上面にケーブルの径を越える幅のスリットを凹部の落ち込み部から人体載置部の側面まで設け、スリットにケーブルを通すことで、凹部にケーブルを収納しない状態でも、手元操作部が人体載置部に一体的に収納可能とした請求項１〜９のいずれか１項に記載の生体情報測定装置。
【請求項１１】
人体載置部は、人体載置部上の重量測定手段を有し、重量測定手段の結果を被測定者情報の一部として、被測定者の生体に関する情報の計算をおこなう請求項１〜１０のいずれか１項に記載の生体情報測定装置。
【請求項１２】
手元操作部と人体載置部を電気的に接続するケーブルを、着脱自在とした請求項１〜１１記載の生体情報測定装置。
【請求項１３】
ケーブルは、螺旋状に形成され、伸縮に自由度のあるカールコードである請求項１〜１２のいずれか１項に記載の生体情報測定装置。
【発明の詳細な説明】
【０００１】
【発明の属する技術分野】
本発明は身体インピーダンスに基づき、生体に関する情報を算出する生体情報測定装置に関するものである。
【０００２】
【従来の技術】
従来のこの種の生体情報測定装置は、たとえば、特開平７−５９７４４号公報に示すようなものが一般的であった。図３１に従来の生体測定装置の外観を示す。
【０００３】
この装置は本体２２の両手で把持できる把持部４に手用の電極３を有し、ケーブル７で接続された、フット電極部２１に電極１を有し、被測定者は身長、体重、性別の被測定者情報をキー群５で入力した後、両手で本体２２を把持し、フット電極部２１に乗って決められた姿勢を取って測定すれば、把持部４及びフット電極部２１に備えられた電極１及び３が手のひら及び足の裏に接触することによって手足間のインピーダンスを測定し、インピーダンスと、入力された被測定者情報に基づいて計算により生体に関する情報を得ることができるようになっていた。
【０００４】
【発明が解決しようとする課題】
しかしながら、従来の生体情報測定装置ではたとえば特開平７−５９７４４号公報のものでは、装置本体とフット電極部を接続するケーブルは装置を使用しないときには別途まとめる等しないとバラバラになり、未使用状態で見苦しくなる場合があった。
【０００５】
また、常にケーブルが暴露状態にあるため、使用期間が長くなるにつれ、汚れが発生した際においても、装置本体は簡単に拭くことができても、一般的に柔軟性のあるケーブルの汚れを除去するのが非常に面倒な作業となる場合があった。
【０００６】
更に、生体情報測定装置を移動しようとした際にも、持ち運び時にケーブル垂れ下がり移動時に足に絡んだり、どこかに引っかかってしまいケーブルが邪魔になる場合があった。
【０００７】
本発明は、上記従来の課題を解決するもので、未使用時にケーブルを人体載置部に設けた凹部に収納し、生体情報を測定するために使用する手元操作部を凹部の蓋として兼用し、しかも一体的に収納するため、装置未使用時における外観の向上、汚れ付着の防止、移動しやすさの向上、加えて清掃を含めた使い勝手を向上させた生体情報測定装置の提供を目的とする。
【０００８】
【課題を解決するための手段】
本発明は上記課題を解決するために、本発明の生体情報測定装置は、入力手段と、報知手段と、把持部を一体に構成した手元操作部を備えるとともに、人体載置部と手元操作部を電気的に接続するためのケーブルで接続し、ケーブルを収納する凹部を人体載置部に設けた生体情報測定装置であって、手元操作部を凹部の蓋として人体載置部に一体的に収納した状態で手元操作部を人体載置部に固定する少なくとも１つの係止手段を、手元操作部あるいは人体載置部に有し、係止手段により固定された状態において、手元操作部に一体に構成される前記把持部が、生体情報測定装置全体の把手として兼用可能となる。これにより、装置未使用時に手元操作部の収納とともに、ケーブルを隠してしまうものである。
【０００９】
【発明の実施の形態】
請求項１に記載の発明は、被測定者の足に接触する足部電極と、足部電極を備え測定時に被測定者が乗る人体載置部と、被測定者の手に接触する手部電極と、手部電極を備え測定時に被測定者が手で把持する把持部と、足部電極と手部電極の間のインピーダンスを測定するインピーダンス測定手段と、被測定者の身体的特徴をあらわす被測定者情報を入力する入力手段と、足部電極と手部電極の間のインピーダンスと被測定者情報から被測定者の生体に関する情報を計算する計算手段と、計算手段による計算結果を表示する報知手段を有し、入力手段と、報知手段と、把持部を一体に構成した手元操作部を備えるとともに、人体載置部と手元操作部を電気的に接続するためのケーブルで接続し、ケーブルを収納する凹部を人体載置部に設けた生体情報測定装置である。手元操作部を凹部の蓋として人体載置部に一体的に収納した状態で手元操作部を人体載置部に固定する少なくとも１つの係止手段を、手元操作部あるいは人体載置部に有し、係止手段により固定された状態において、手元操作部に一体に構成される前記把持部が、生体情報測定装置全体の把手として兼用可能となる。これにより、生体情報率算出に必要な身長や性別、体重等の個人データ入力や機器の操作を見やすい手元で行えるとともに、装置未使用時の把持部と人体載置部を接続するケーブルを凹部に収納することができるため、ばらばらになりやすいケーブルを凹部に押し込むことで、手際良くまた、見栄え良く片付けすることができる。また、手元操作部を人体載置部に一体的に収納した状態で、手元操作部を人体載置部に固定する少なくとも１つの係止手段を手元操作部あるいは人体載置部に有する構成のため、係止手段の係止強度を装置全体の重量以上にすることで、手元操作部の把持部を、生体情報測定装置全体の把手として兼用することが可能となり、装置の運搬時に鞄を持つ感覚で簡単に持ち運びができるとともに、ケーブル全体が凹部に収納され手元操作部で蓋された状態のため、ケーブルが運搬時に邪魔になることもなく持ち運びができる。
【００１２】
請求項２記載の発明は、特に請求項１記載の人体載置部と手元操作部を接続するケーブルを、人体載置部側は凹部の内部面から人体載置部内部に接続され、手元操作部側は、人体載置面凹部側に面した面から手元操作部内部に接続するために、手元操作部を人体載置部に一体的に収納した場合に、ケーブルの出口部分が凹部内に隠れてしまうこととなり、ケーブルが全く見えなくなり装置全体としての見栄えが良く、また、ほこり等が凹部に入り込み難いためケーブルが汚れ難く清掃等の手間を軽減することができる。
【００１３】
請求項３の発明は、特に請求項１または２記載の手元操作部を一体的に収納する人体載置部の手元操作部との接触面の少なくとも１カ所に凹部或いは凸部を設け、手元操作部には、人体載置部の凹部或いは凸部に対向する位置に凸部或いは凹部を設け、手元操作部と人体載置部が凹凸で係止し、収納時に手元操作部が人体載置部に保持される構成のため、係止手段による凸部と凹部の嵌合の感触が収納時に感じられるため、確実な収納固定が可能となるとともに、装置の設置場所の都合上、装置全体を収納時に立て掛けて収納する場合においても、係止手段により手元操作部と人体載置部が固定されているため手元操作部が、外れて落ちてその結果ケーブルが垂れ下がるという見苦しい状態になることがなく、装置全体としての見栄えの良さをいかなる収納状態においても実現することができる。
【００１５】
請求項４の発明は、特に請求項１〜３に記載の人体載置部を、基台部と、基台部に支えられたカバー部で構成し、カバー部の上面に凹部を形成し、人体載置部の凹部とすることにより、装置未使用時の把持部と人体載置部を接続するケーブルを凹部に収納することができるため、ばらばらになりやすいケーブルを収納時凹部に押し込むことで、手際良くまた、見栄え良く片付けすることができる。
【００１６】
請求項５の発明は、特に請求項１〜３に記載の人体載置部を、基台部と、基台部に支えられた踏み台部と、踏み台部を覆うカバー部で構成し、踏み台部の上面の一部を開口し、開口した箇所にカバー部の凹部が挿入され人体載置部の凹部とすることにより、人体の荷重を踏み台部で受け止め、その上に樹脂等の成形が容易なカバーを設けた場合には凹部の形状を自由に成形することが可能となり、人体載置部の荷重限界を引き上げた場合においても踏み台部の強度を上げるだけで良く、強度的にカバーにかかる負担が少ないために、ケーブルの収納性を犠牲にすることなく収納性を追求した自由度の高い形状を実現することが可能である。
【００１７】
請求項６の発明は、特に請求項１〜３に記載の人体載置部を、基台部と、基台部に支えられた踏み台部と、踏み台部を覆うカバー部で構成し、踏み台部の上面の一部を凹部に形成し、形成した踏み台部の凹部に、一部を凹部に形成したカバー部の凹部が挿入され、人体載置部の凹部とすることにより、踏み台部を一体的に形成し強度を損なうことがなく、人体載置部の荷重限界を極限まで引き上げることができるために、一般的な体重計の秤量（測定限界）である１３０ｋｇを越えた人でも問題なく載置することが可能である。
【００１８】
請求項７の発明は、特に請求項４または５に記載の人体載置部を構成する、カバー部の凹部と基台部に、それぞれ少なくとも１つの穴を設けたもので、凹部に貯まった液体は穴を介して人体載置部外に排出される構成とすることにより、装置を脱衣所等に設置した場合に考えられる、入浴後の人体に付着した水滴が装置本体に垂れ、測定時に暴露状態にある凹部に滴下した場合やケーブルを伝って流れ込んだ場合においても、カバー部の穴から基台部へ流れ、更に基台部穴を介して外部に排出されるために、水滴の掛かりやすい劣悪な環境において使用された場合においても、装置に水が貯まったりすることで、不快感を催す状態になり難く、常に快適に装置を使用することができる。
【００１９】
請求項８の発明は、特に請求項６に記載の人体載置部を構成する、カバー部の凹部と踏み台部の凹部と基台部に、それぞれ少なくとも１つの穴を設けたもので、凹部に貯まった液体は穴を介して人体載置部外に排出される構成とすることにより、装置を脱衣所等に設置した場合に考えられる、入浴後の人体に付着した水滴が装置本体に垂れ、測定時に暴露状態にある凹部に滴下した場合やケーブルを伝って流れ込んだ場合においても、カバー部の穴から踏み台部の穴へ流れ、更に基台部穴を介して外部に排出されるために、水滴の掛かりやすい劣悪な環境において使用された場合においても、装置に水が貯まったりすることで、不快感を催す状態になり難く、常に快適に装置を使用することができる。
【００２０】
請求項９の発明は、特に請求項４〜８に記載の人体載置部を構成する、カバー部の凹部の底面を漏斗形状で形成し、凹部に貯まった液体は漏斗形状の先端から、人体載置部外に排出される構成とすることにより装置を脱衣所等に設置した場合に考えられる、入浴後の人体に付着した水滴が装置本体に垂れ、測定時に暴露状態にある凹部に滴下した場合やケーブルを伝って流れ込んだ場合においても、カバー部の穴から漏斗形状の先端から直接外部に排出されるために、水滴の掛かりやすい劣悪な環境において使用された場合においても、装置内にも水が流れたりすることがないため、踏み台部や基台部を強度確保のために金属材料を使用した場合にも錆等の発生確率を押さえられ、装置の耐久性を向上させることができ、また装置に水が貯まったりすることで、不快感を催す状態になり難く、常に快適に装置を使用することができる。
【００２１】
請求項１０の発明は、特に請求項１〜９に記載の人体載置部の上面にケーブルの径を越える幅のスリットを凹部の落ち込み部から人体載置部の側面まで設け、スリットにケーブルを通す構成とすることで、凹部内にケーブルを収納せず、装置外にケーブルを放り出した状態でも、手元操作部が人体載置部に一体的に収納可能となり、ケーブル収納が面倒な人が使用した場合においても、手元操作部は一体的に収納することができ、ケーブルは垂れ下がった状態でも、装置全体を立て掛けて収納しても手元操作部が落下することがなく、使用頻度に応じた収納のバリエーションを拡げることができる。
【００２２】
請求項１１の発明は、人体載置部に、人体載置部上の重量測定手段を設け、重量測定手段の結果を被測定者情報の一部として、生体情報の計算をおこなう構成とすることで、生体情報に代表される体脂肪率等の算出において必要なパラメータの一つである体重データを入力する必要がなく、操作の軽減を図ることができる。また、人体における体重は１日の内でも食事や運動、排便等の行動で１ｋｇ以上の変化が見られる人が一般的であるため、代表的な生体情報である体脂肪率を管理する上で体重の測定は、体脂肪率測定には不可欠な要因であるため、体脂肪率測定の一連の動作で体重が測定できることにより常に正確な体脂肪率の算出を行うことができる。
【００２４】
請求項１２の発明は、特に請求項１〜１１に記載の手元操作部と人体載置部を電気的に接続するケーブルを着脱構成としたために、手元操作部と人体載置部を物理的に分離できる構成とすることができ、個々のユニットが扱い易くなるために清掃時の手間を軽減することができる。
【００２５】
請求項１３の発明は、ケーブルを、螺旋状に形成し、伸縮に自由度のあるカールコードとすることにより、延ばした状態で測定時における手元操作部と人体載置部間の距離を確保しつつ、収納時はカールした分収縮状態で全長を短くし簡単に収納することができるものである。また測定時は常に人体載置部と手元操作部間でカールコードが張った状態となり、垂れ下がることがないため、測定中に床にケーブルがついたり人体にまとわりつくといったことで、ケーブル重量を含めた手元操作部の重量が変化する恐れがなく、手元操作部の重量を差し引いて人体重量を算出する場合でもケーブルの状態における重量変化の影響を無視することができる。
【００２６】
【実施例】
以下本発明の実施例について図面を参照しながら説明する。
【００２７】
説明を具体的にするために、本実施例では、生体情報を体脂肪率として説明しているが、生体インピーダンスと、被測定者の身体的特徴をあらわす被測定者情報から算出される生体情報を測定算出するものであれば、例えば、骨密度の測定装置であっても、筋肉の量や、筋肉の疲労度を測定するものであっても本発明の主旨を逸脱するものではない。
【００２８】
（実施例１）
図１は本発明の第１の実施例における生体情報測定装置の外観図、図２はそのブロック図、図３は測定時の説明図である。本実施例の生体情報測定装置は人体載置部２を装置本体外殻としており、ここに足部電極１ａ、１ｂ、１ｃ、１ｄが取り付けられている。本実施例において１ａと１ｂは電気的に短絡接続され、一対で構成される定電流電源部９ａの電極の一端であり、１ｃと１ｄは電気的に短絡接続され、一対で構成される人体抵抗電位検出部９ｂの電極の一端であり、前述の定電流電源部９ａと人体抵抗電位検出部９ｂでインピーダンス測定手段９を構成する。人体載置部２には、被測定者情報を入力するための入力手段としての設定キー群５、報知手段として液晶表示器６が備えられている。
【００２９】
人体載置部２と把持部４はケーブル７で接続されている。８は人体載置部２に設けた凹部で、保持部４或いはケーブル７を単独又は同時に収納できる容積を有するものである。手部電極３ａ、３ｂは導電性の金属材料で把持部４に巻き付け固定したものである。３ａは前述の一対で構成される定電流電源の電極のもう一方の一端であり、３ｂは前述の一対で構成される人体抵抗電位検出手段の電極のもう一方の一端である。被測定者１０は図３に示すように把持部４を握って人体載置部２の上に素足で乗る。このとき手部電極３ａ、３ｂは被測定者１０の手のひらに、足部電極１ａ、１ｂ、１ｃ、１ｄは被測定者１０の足の裏に接触する。
【００３０】
図２に示すように足部電極１ａ、１ｂ、１ｃ、１ｄならびに手部電極３ａ、３ｂはインピーダンス測定手段９に接続されている。インピーダンス測定手段９は４端子法により、短絡された足部電極１ａ、１ｂと手部電極３ａ間に定電流電源部９ａにより定電流を流し、足部電極１の他方の電極と手部電極２の他方の電極間で人体抵抗電位検出部９ｂにより電圧を測定することによって、インピーダンスを測定できるよう構成されている。本実施例では、５０kHz、５００μＡの人体が感じることのない微弱な電流を使用している。測定したインピーダンスは計算手段としてのマイクロコンピュータ１１に入力される。マイクロコンピュータ１１には先に説明したキー群５と液晶表示器６が接続されている。
【００３１】
実施例中の足電極１ａ、１ｂと１ｃ、１ｄはそれぞれ短絡した状態で説明したが、１ａと１ｃのみで１ｂと１ｄがない構成、或いは１ａと１ｃが無くで１ｂと１ｄのみの構成でも、手−足間のインピーダンスの測定は可能であり、本発明の範囲を逸脱するものではない。加えて、インピーダンス測定手段９における定電流源部９ａの電極を１ａ、１ｂと３ａとし、人体抵抗電位検出部９ｂの電極を１ｃ、１ｄと３ｂとしたが、定電流源部９ａの電極を１ｃ、１ｄと３ｂとし人体抵抗電位検出部９ｂの電極を１ａ、１ｂと３ａとしても手−足間のインピーダンスの測定は可能であり、本発明の範囲を逸脱するものではない（以降説明を簡略化するために足部電極１ａ、１ｂ、１ｃ、１ｄを総称して足部電極１とし、手部電極３ａ、３ｂを総称して手部電極３と称する）。
【００３２】
次に動作、作用について説明する。測定に先立ち、被測定者１０はキー群５を操作して、被測定者情報として身長、体重、性別を入力する。キー群５はマイクロコンピュータ１１に接続されているので、マイクロコンピュータ１１はこれらの被測定者情報をあらかじめ入力される。次に、被測定者１０は図３に示すように、腕を水平にのばした状態で把持部４を握り、人体載置部２に乗る。このとき、手部電極３は被測定者１０の手のひらに、足部電極４は被測定者１０の足の裏に接触する。手部電極３及び足部電極４はインピーダンス測定手段９に接続されており、被測定者１０の手足間のインピーダンスを測定する。インピーダンス測定手段９からのインピーダンスがマイクロコンピュータ１１に入力されると、マイクロコンピュータ１１はプログラムによりインピーダンスと被測定者情報から体脂肪率を計算し、結果を液晶表示器６に出力する。体脂肪率を求める式は各種のものが知られているが、本実施例では、体密度より求めるBrozecの式（Brozecらの報告書 J.Brozec、F.Grande、J.T.Anderson and A.Key；”An NY Ac ad.sci １１０（１９６３）１１３−４０）を用いている。この式はたとえば男性の場合
体密度＝１．１５５４−．０８４１×体重×インピーダンス／身長２
体脂肪率（％）＝（４．９５／体密度−４．５）×１００
から求められる。なお、この式は男性の場合の式であるが、女性の場合も各部の係数を変えることにより適用できるので、被測定者情報に含まれる性別を元に式を切り換える。また、体脂肪率を求める式はこの他にも多くの式が報告されているが、インピーダンスから体脂肪率を求める式であれば、どのような式を用いて、本発明の趣旨を逸脱するものではない。
【００３３】
なお、本実施例においては、インピーダンスより求めた体脂肪率をそのまま表示しているが、体脂肪率から求められる、体脂肪重量、徐脂肪重量、徐脂肪率等で表示を行ってもよい。また、入力手段としてアップダウンスイッチと入力スイッチの組み合わせによるキー群５を用いているが、目的とする被測定者情報を入力できる方法であれば、たとえば１０キーによる入力手段やロータリーエンコーダー等を用いた回転式の入力手段等であっても本発明の範囲を逸脱するものではない。
【００３４】
また、報知手段として液晶表示器を用いているが、その他の報知手段、たとえば発光ダイオードを使用したものや、音声で報知するものも範囲に含まれる。また、定電流は人体に感じない範囲であれば、その周波数、電流の大小は任意に変えることができる。また、本実施例においては右手−両足間でインピーダンスを測定しているが手足間のインピーダンスを測定できれば左手−両足間、右手−右足間、右手−左足間、左手−右足間、左手−左足間、その組み合わせは自由である。また、把持部は片手にもてる円筒形のものを使用しているが、その形状に制限はなく、握りやすく、手部電極が手に確実に接触できるものであれば、形状は任意である。
【００３５】
上記方法で体脂肪率を測定した後に、被測定者１０は測定に使用した把持部４と人体載置部間を電気的に接続したケーブル７を人体載置部２に設けた凹部８に押し込む、あるいは、ケーブル７を折り束ねて凹部８に挿入することにより、装置全体の収納状態が整然とすることとなり、非測定状態において装置が乱雑に見えて不快な思いをすることがないものとなる。
【００３６】
（実施例２）
図４は本発明の実施例２の生体情報測定装置の手元操作部の外観図、図５は使用時の説明図である。実施例１と異なる点は報知手段としての液晶表示器６と、入力手段としてのキー群５と把持部４を一体的に設けて手元操作部１２を構成している点である。これは、本発明における把持部４に液晶表示器６、入力手段としてのキー群５一体化させた手元操作部１２をケーブル７で人体載置部２に接続し、さらに、使い勝手を向上させたものである。図５に示すように、片手で把持部４を保持し、必要であれば、図５よりも目に近づけて読むことができる。読みとるためにかがむ必要がなく、測定結果の読み誤りなどが発生せず、正確な測定を行うことができる。
【００３７】
なお、本実施例における手元操作部１２では報知手段である液晶表示器６の下に入力手段であるキー群５が備えられているが、手元操作部１２に一体的に備えていれば配置等場所は限定されない。上記方法で体脂肪率を測定した後に、被測定者１０は測定に使用した手元操作部１２と人体載置部間を電気的に接続したケーブル７を人体載置部２に設けた凹部８に押し込む、あるいは、ケーブル７を折り束ねて凹部８に挿入することにより、装置全体の収納状態が整然とすることとなり、非測定状態において装置が乱雑に見えて不快な思いをすることがないものとなる。
【００３８】
（実施例３）
図６は本発明の実施例３の生体情報測定装置の収納時の外観図である。実施例２と異なる点は、収納時に、把持部４が人体載置部２に設けた凹部８の開口部全面を覆う蓋と兼用となる点である。この構成により、図５のように体脂肪率測定した後にケーブル７を人体載置部２に設けた凹部８に押し込む、あるいは、ケーブル７を折り束ねて凹部８に挿入した後に、手元操作部１２を凹部８の開口部分に合わせて収納すれば、凹部８の中で仮にケーブル７が押し込んで収納したために乱雑に見える場合においても、ケーブル７を含め凹部８の全体が、蓋替わりとなる手元操作部１２に隠されて、見えなくなり実施例２よりも更に装置全体の収納状態が整然と見え、見栄えの良い物となる。
【００３９】
（実施例４）
図７は、本発明実施例４の生体情報測定装置における手元操作部１２からケーブル７が引き出されている部分の拡大図であり、図８は、人体載置部２のケーブル収納を目的とした凹部８からケーブル７が引き出されている部分の拡大図である。図７においてケーブル７の一端は、手元操作部１２の裏面、つまり手元操作部１２を人体載置部２の凹部８に収納した際に、人体載置部２の凹部８に対向した面から引き出される。ケーブル７のもう一端は、図８に示すように人体載置部２の凹部８の内面から引き出されている。
【００４０】
このことにより、ケーブル７を凹部８に挿入して、人体載置部２に手元操作部１２を収納した場合は、ケーブル７の全ての部分が、凹部８の内面と手元操作部１２の１つの面で形成される閉空間内に納められるために、収納状態で、ケーブル７は全く見えることが無くなるものとなり、装置全体の収納状態が整然と見え、見栄えの良い物となる。
【００４１】
（実施例５）
図９は本発明の実施例５の生体情報測定装置における手元操作部１２を人体載置部２に収納しようとする場合の部分斜視図である。なお、説明を簡単にするためケーブル７は図示を省略している。実施例４と異なる点は、手元操作部１２の側面に凸部１２ａを設け、手元操作部１２を人体載置部２に収納した時に、前述の凸部１２ａに対向し、係止あるいは嵌合する凹部２ａを人体載置部２の凹部側面に設けた点である。
【００４２】
このことにより、ケーブル７を凹部８に挿入後、手元操作部１２を人体載置部２に収納時は、凸部１２ａと凹部２ａ部の係止あるいは嵌合時の感触が被測定者１０に感じられるために、確実な収納固定が簡単にし易くなるとともに、装置の設置場所の都合上、装置全体を収納時に立て掛けて収納する場合においても、凸部１２ａと凹部２ａ部の係止あるいは嵌合により手元操作部と人体載置部が固定されているため手元操作部が、外れて落ちてその結果ケーブルが垂れ下がるという見苦しい状態になることがなく、装置全体としての見栄えの良さをいかなる収納状態においても実現することができる。
【００４３】
図１０は手元操作部１２に係止手段である凸部１２ａを複数設けた場合の正面図で、凹部８の内面に、複数の凸部１２ａと対向する位置に複数の凹部２ａを設けることにより、収納時の手元操作部１２の人体載置部２に対するぶれが少なくなるとともに、固定の強さも変えることができる。固定強さは凸部１２ａの凸高さでも調整できるが、繰り返しの収納において、凸部１２ａは摩擦によって凸高さが減っていくことがあるために凸部１２ａを複数個設けた方が、経時的に有利である。図１１は手元操作部１２を人体載置部２に収納した場合の図９のＡ−Ａ’断面図である。
【００４４】
本実施例では、手元操作部１２側に凸部１２ａ、人体載置部２の凹部８内に凹部２ａを設けて説明したが、凸部１２ａを人体載置部２の凹部８内に設け、手元操作部１２側に凹部１２ｂを設けた場合においても、手元操作部１２の確実な固定は同様に行える。
【００４５】
（実施例６）
図１２（ａ）は、本発明の実施例６の生体情報測定装置における手元操作部１２と人体載置部２の収納時の部分斜視図である。実施例５と異なる点は、人体載置部２に手元操作部１２を収納した状態で、人体載置部２に設けた係止手段となるスライド式のロックつまみ１３を、手元操作部１２に設けた係止手段の相手であるロック穴１２ｂに差し込む構成とした点である。図１２（ｂ）にロックつまみ１３で人体載置部２に手元操作部１２が固定された状態を示す。ロックつまみ１３は、人体載置部２に取り付けられ、手元操作部１２方向へスライドする。
【００４６】
手元操作部１２収納状態で、ロックつまみ１３が手元操作部１２方向へスライドした場合は、手元操作部１２のロック穴１２ｂに差し込まれ、手元操作部１２は人体載置部２から外せなくなる。従って、収納時や持ち運び時に装置全体が逆さまになるような状態が想定される場合においても本実施例においては、手元操作部１２が人体載置部２から外れて落ち、その結果内部に収納しているケーブル７が飛び出したり、垂れ下がったりすることがなく、整然とした収納状態を維持することができる。
【００４７】
また、ロックつまみ１３の人体載置部２への取り付け強度を装置全体の重量以上に設計すれば、ロックつまみ１３がロック穴１２ｂに差し込まれた状態で、手元操作部１２の把持部４は、装置全体の把持部として兼用することができ、持ち運びが更に簡便になる。手元操作部１２のロック穴１２ｂに差し込まれたロックつまみ１３を、手元操作部１２と逆方向にスライドさせれば、手元操作部１２を簡単に人体載置部２から外せ、通常の体脂肪率測定に支障がでることはない。図１２（ａ）においてはロックつまみを２個図示しているが、手元操作部１２の人体載置部２への固定強度が確保されれば、ロックつまみは１個或いは２個以上であっても、同様の効果を発揮することができるものである。
【００４８】
（実施例７）
図１３は、本発明の実施例７の生体情報測定装置における人体載置部の構成斜視図である。図１４は図１３のｈ−ｈ’断面図である。図１３において、１４は基台部で、装置が置かれる床面に対し装置全体を支える。人体の重量を支える必要があるために強度が求められ、プレスした金属材料で構成しているが、強度が確保できる材料であれば肉厚を上げた樹脂材料等でもよく材料に限定はない。１６はカバー部で上面の一部に凹部を設けたものである。カバー部１６は、被測定者が安定して人体載置部２に乗ることができるように、上面を平坦に尚かつ人体の荷重に耐えうるように強度が求められる。カバー部１６も基台部１４同様、強度が確保できる材料であれば肉厚を上げた樹脂材料等でもよく材料に限定はない。
【００４９】
カバー部１６を、樹脂材料で構成した場合は、成型の自由度を利用して、装置全体の外観を向上させるととことができる。上記構成は一般的な体重計の構成とほぼ同様である。実際の体重計においては、基台部１４とカバー部１６の間に構成された複数の接触部分の間には、てこの原理を応用してカバー部１６にかかる荷重をてこ比で軽減して重量センサ（図示せず）に伝達する荷重伝達部品（図示せず）が存在するが、本発明においては省略する。
【００５０】
カバー部１６に樹脂材料を使用した場合においては、人体荷重に対する強度を肉厚を上げたり、リブ等の追加により強度を確保することで、凹部８の深さや形状は樹脂材料の成型条件や方法に起因するものとなり、物づくり上自由度の高い加工が可能であるため、人体の荷重に耐えると共に、比較的簡単にケーブル７の収納に支障のない人体載置部２を構成することができる。
【００５１】
（実施例８）
図１５は、本発明の実施例８の生体情報測定装置における人体載置部の構成斜視図である。図１６は図１５のＣ−Ｃ’断面図である。図１５において、１４は基台部で、装置が置かれる床面に対し装置全体を支える。人体の重量を支える必要があるために強度が求められ、プレスした金属材料で構成しているが、強度が確保できる材料であれば肉厚を上げた樹脂材料等でもよく材料に限定はない。１５は踏み台部で上面の一部を打ち抜いたものである。
【００５２】
踏み台部１５は、被測定者が安定して人体載置部２に乗ることができるように、上面を平坦に尚かつ人体の荷重に耐えうるように強度が求められ、プレスした金属材料で構成され基台部１４に支えられる。踏み台部１５も基台部１４同様、強度が確保できる材料であれば肉厚を上げた樹脂材料等でもよく材料に限定はない。１６はカバー部で、人体荷重に耐えうる踏み台部１５を覆い、成型の自由度を利用して、装置全体の外観を向上させるとともに本発明における、足電極１を踏み台部１５と絶縁する役目も果たす。上記構成も、実施例７と同様、一般的な体重計の構成とほぼ同じである。実際の体重計においては、基台部１４と踏み台部１５の間に構成された複数の接触部分の間には、てこの原理を応用して踏み台部１５にかかる荷重をてこ比で軽減して重量センサ（図示せず）に伝達する荷重伝達部品（図示せず）が存在するが、本発明においては省略する。
【００５３】
踏み台部１５の上面の一部は、カバー１６の凹部８が入り込む大きさで打ち抜くことにより、踏み台部１５とカバー１６は、重ね合わせて一体構成とした場合に、人体荷重に対する強度を踏み台部１５が受け、外観をカバー１６で向上させることができる。このことにより凹部８の深さや形状は樹脂材料の成型条件や方法に起因するものとなり、物づくり上自由度の高い加工が可能であるため、人体の荷重に耐えると共に、比較的簡単にケーブル７の収納に支障のない人体載置部２を構成することができる。
【００５４】
（実施例９）
図１７は、本発明の実施例９の生体情報測定装置における人体載置部の構成斜視図である。図１８は図１７のｄ−ｄ’断面図である。実施例８と異なる点は、踏み台部１５の上面の一部を、カバー１６の凹部８が入り込む大きさに合わせて凹部に成形することにより、踏み台部１５とカバー１６は、重ね合わせて一体構成とした点である。この構成においては、実施例８に比べて、カバー部１６の凹部８と少なくとも同じ深さに踏み台部１５の一部を成形する点で金属成形に設備上の課題が発生する場合があるが、踏み台部１５の剛性は飛躍的に向上するため、例えば内部に体重計機構を組み込んだ場合には、重量に対する踏み台部のたわみがなく測定精度を向上させることが可能となる。
【００５５】
（実施例１０）
図１９は、本発明の実施例１０の生体情報測定装置における人体載置部の構成斜視図である。図２０は図１９のｅ−ｅ’断面図である。図１９において、実施例８と異なる点は、カバー部１６の凹部８の底面と基台部１４に穴を明けた点である。このことにより、装置を脱衣所等に設置した場合に考えられる、入浴後の人体に付着した水滴が装置本体に垂れ、測定時に暴露状態にある凹部８に滴下した場合やケーブル７を伝って流れ込んだ場合においても、カバー部１６の穴から基台部１４内へ流れ、更に基台部１４の穴を介して外部に排出されるために、水滴の掛かりやすい劣悪な環境において使用された場合においても、凹部８内に水が貯まったりすることで、不快感を催す状態になり難く、常に快適に装置を使用することができる。
【００５６】
本実施例においては、凹部８と基台部１４に明ける穴を１個としているが、ケーブル７の挿入や収納に影響を及ぼさない範囲においては、穴の数や大きさに制限はなく、その組み合わせは自由である。
【００５７】
（実施例１１）
図２１は、本発明の実施例１１の生体情報測定装置における人体載置部の構成斜視図である。図２２は図２１のｆ−ｆ’断面図である。図２１において、実施例９と異なる点は、カバー部１６の凹部８の底面と、踏み台部１５の一部を凹部に成形した箇所の凹部底面と、基台部１４に穴を明けた点である。このことにより、装置を脱衣所等に設置した場合に考えられる、入浴後の人体に付着した水滴が装置本体に垂れ、測定時に暴露状態にある凹部８に滴下した場合やケーブル７を伝って流れ込んだ場合においても、カバー部１６の凹部８の穴から踏み台部１５の穴へ流れ、更に基台部１４の穴を介して外部に排出されるために、水滴の掛かりやすい劣悪な環境において使用された場合においても、凹部８内に水が貯まったりすることで、不快感を催す状態になり難く、常に快適に装置を使用することができる。
【００５８】
本実施例においては、凹部８と、踏み台部１５の穴、基台部１４に明ける穴を１個としているが、ケーブル７の挿入や収納に影響を及ぼさない範囲においては、穴の数や大きさに制限はなく、その組み合わせは自由である。
【００５９】
（実施例１２）
図２３は、本発明の実施例１２の生体情報測定装置における人体載置部の構成斜視図である。図２４は図２３のｇ−ｇ’断面図である。図２３において、実施例９と異なる点は、カバー部１６の凹部８の底面は漏斗形状で形成され、底面に設けた穴位置が最も低い位置になるように傾斜し、その穴は筒状とし、基台部１４に設けた穴を貫通する長さを有する。
【００６０】
このことにより凹部８に貯まった液体や、穴よりも小さいゴミは凹部８の底面に設けた穴がつながる筒状の先端、いわゆる漏斗形状の先端から、人体載置部外に排出される構成とすることにより装置を脱衣所等に設置した場合に考えられる、入浴後の人体に付着した水滴が装置本体に垂れ、測定時に暴露状態にある凹部８に滴下した場合やケーブル７を伝って流れ込んだ場合においても、凹部８の穴から漏斗形状の先端まで流れ、直接外部に排出されるために、水滴の掛かりやすい劣悪な環境において使用された場合においても、装置内にも水が流れたりすることがないため、踏み台部１５や基台部１４を強度確保のために金属材料を使用した場合にも錆等の発生確率を押さえられ、装置の耐久性を向上させることができ、また装置に水が貯まったりすることで、不快感を催す状態になり難く、常に快適に装置を使用することができる。
【００６１】
本実施例においては、凹部８と、基台部１４に明ける穴を１個としているが、ケーブル７の挿入や収納に影響を及ぼさない範囲においては、穴の数や大きさに制限はなく、その組み合わせは自由である。
【００６２】
（実施例１３）
図２５は、本発明の実施例１３の生体情報測定装置における人体載置部２と手元操作部１２の斜視図である。図２６は、実施例１３における人体載置部２にスリットを設けた凹部の部分斜視図である。実施例４と異なる点は、人体載置部２の上面からケーブル７の径を越える幅のスリット１７を凹部８の落ち込み部から人体載置部２の側面まで設けた点である。
【００６３】
このことにより、スリット１７にケーブル７を２本を通すことで、凹部８内にケーブル７を収納せず、装置外にケーブル７の一部を放り出した状態でも、手元操作部１２が人体載置部２に一体的に収納可能となり、ケーブル７の収納が面倒な人が使用した場合においても、手元操作部１２は一体的に収納することができ、ケーブル７は垂れ下がった状態でも、装置全体を立て掛けて収納しても手元操作部１２が落下することがなく、使用頻度に応じた収納のバリエーションを拡げることができる。
【００６４】
（実施例１４）
図２７は本発明の第１３の実施例における生体情報測定装置のブロック図である。実施例１と異なる点は、人体載置部２上の荷重を検出する重量測定手段１８を設けた点である。重量検出手段１８は、計算手段であるマイクロコンピュータ１１に接続される。マイクロコンピュータ１１は、重量検出手段１８で得られた人体載置部２上の荷重を被測定者の体重データとして、体脂肪率算出時のパラメータとして使用する。具体的な体脂肪率算出の方法計算方法は実施例１と同様であるので説明は省略する。
【００６５】
このことにより、体脂肪率の算出に必要なパラメータの一つである体重データを入力する必要がなく、操作の軽減を図ることができる。また、人体における体重は１日の内でも食事や運動、排便等の行動で１ｋｇ以上の変化が見られる人が一般的であるため、体脂肪率の管理をする上で体重の測定は、体脂肪率測定には不可欠な要因であるため、体脂肪率測定の一連の動作で体重が測定できることにより常に正確な体脂肪率の算出を行うことができる。
【００６６】
（実施例１５）
図２８は、本発明の実施例１５における把持部４と人体載置部２からケーブル７を外した時の外観図である。接続時は、把持部４、人体載置部２のコネクタ挿入穴２３に矢印の方向にコネクタ２０を差し込む。実施例１と異なる点は、把持部４と人体載置部２の間を電気的に接続するケーブル７の両端にそれぞれコネクタ２０を設けて、ケーブル７を把持部４と人体載置部２から着脱自在とした点である。被測定者は装置を使用する場合は、ケーブルに設けたコネクタ２０を把持部４と人体載置部２のコネクタ挿入穴２３に差し込んで電気的に接続して使用する。未使用時、特に清掃を行う場合は、ケーブル７の両端のコネクタ２０を抜き、人体載置部２と把持部４とケーブル７を物理的に分離することで、個々のユニットが持ちやすく扱いやすい為、清掃時の手際が良くなり、清掃を簡単に行えることができる。
【００６７】
なお、本実施例ではケーブル７の両端にコネクタ２０を設けて、人体載置部２と把持部４とケーブル７の３つのユニットに分離できることとして説明を行ったが、ケーブル７の片側のみにコネクタ２０を設け、もう一方は、人体載置部２か把持部４のどちらかに接続し、着脱出来ない構成であっても、コネクタ２０を抜いたユニット分離時は片側にケーブル７が接続されているのみであるために、個々のユニットが扱いやすく、清掃時の手際が良くなり、清掃を簡単に行えることができるという効果が失われるものではない。
【００６８】
（実施例１６）
図２９は、本発明の実施例１６における手元操作部と人体載置部からケーブルを外した時の外観図である。接続時は、手元操作部１２、人体載置部２のコネクタ挿入穴２３に矢印の方向にコネクタ２０を差し込む。実施例２〜１４と異なる点は、手元操作部１２と人体載置部２の間を電気的に接続するケーブル７の両端にそれぞれコネクタ２０を設けて、ケーブル７を手元操作部１２と人体載置部２から着脱自在とした点である。
【００６９】
被測定者は装置を使用する場合は、ケーブルに設けたコネクタ２０を手元操作部１２と人体載置部２のコネクタ挿入穴２３に差し込んで電気的に接続して使用する。本実施例においては、手元操作部１２側のコネクタ挿入穴２３は手元操作部２１における裏面（液晶表示器６が存在する側の反対面）に設けてあり、人体載置部２側のコネクタ挿入穴２３は、凹部８の内面に設けてある、これにより前述の実施例４で記載の収納時にケーブル７全ての部分が、凹部８の内面と手元操作部１２の１つの面で形成される閉空間内に納められるために、収納状態で、ケーブル７は全く見えることが無くなるものとなり、装置全体の収納状態が整然と見え、見栄えの良い物となるという効果は妨げられることはない。
【００７０】
加えて、手元操作部１２、人体載置部２のコネクタ挿入穴２３へ差し込んだコネクタ２０の突出を少なくすることにより、人体載置部２の凹部８にケーブル７を収納し、手元操作部１２を人体載置部２に一体的に収納することは可能であり、実施例２〜１４に記載における本発明の主旨を失うことはない。特に清掃を行う場合は、ケーブル７の両端のコネクタ２０を抜き、人体載置部２と手元操作部１２とケーブル７を物理的に分離することで、個々のユニットが持ちやすく扱いやすい為、清掃時の手際が良くなり、清掃を簡単に行えることができる。
【００７１】
なお、本実施例ではケーブル７の両端にコネクタ２０を設けて、人体載置部２と手元操作部１２とケーブル７の３つのユニットに分離できることとして説明を行ったが、ケーブル７の片側のみにコネクタ２０を設け、もう一方は、人体載置部２か手元操作部１２のどちらかに接続し、着脱出来ない構成であっても、コネクタ２０を抜いたユニット分離時は片側にケーブル７が接続されているのみであるために、個々のユニットが扱いやすく、清掃時の手際が良くなり、清掃を簡単に行えることができるという効果が失われるものではない。
【００７２】
（実施例１７）
図３０は、本発明の実施例１７における生体情報測定装置の使用時の説明図である。実施例２と異なる点は、手元操作部１２と人体載置部２の間を電気的に接続するケーブル７を螺旋状に形成し、伸縮に自由度のあるカールコードとした点である。このことにより延ばした状態で測定時における手元操作部１２と人体載置部２間の距離を確保しつつ、収納時はカールした分収縮状態で全長を短くし簡単に収納することができるものである。
【００７３】
また測定時は常に人体載置部２と手元操作部１２間でカールコード１９が張った状態となり、垂れ下がることがないため、測定中に床にカールコード１９がついたり人体にまとわりつくといったことで、カールコード１９重量を含めた手元操作部１２の重量が変化する恐れがなく、手元操作部１２の重量を差し引いて人体重量を算出する場合でもカールコード１９の状態における重量変化の影響を無視することができる。
【００７４】
【発明の効果】
以上のように本発明によれば、装置を使用しない状態において、ばらばらになりやすいコードがあるにも関わらず装置全体を整然と見せることができる。また、手元操作部の把持部を、生体情報測定装置全体の把手として兼用することが可能となり、装置の運搬時に鞄を持つ感覚で簡単に持ち運びができるとともに、ケーブル全体が凹部に収納され手元操作部で蓋された状態のため、ケーブルが運搬時に邪魔になることもなく持ち運びができる。
【図面の簡単な説明】
【図１】本発明の実施例１における生体情報測定装置の外観図
【図２】本発明の実施例１における生体情報測定装置のブロック図
【図３】本発明の実施例１における測定時の説明図
【図４】本発明の実施例２における生体情報測定装置の把持部の外観図
【図５】本発明の実施例２における生体情報測定装置使用時の説明図
【図６】本発明の実施例３における生体情報測定装置の収納時の外観図
【図７】本発明の実施例４における手元操作部からケーブルが引き出されている部分の拡大図
【図８】本発明の実施例４における人体載置部の凹部からケーブルが引き出されている部分の拡大図
【図９】本発明の実施例５における手元操作部を人体載置部に収納しようとする場合の部分斜視図
【図１０】本発明の実施例５における手元操作部に係止手段を設けた場合の正面図
【図１１】本発明の実施例５における図９Ａ−Ａ’部の断面図
【図１２】（ａ）本発明の実施例６における手元操作部と人体載置部の収納時の部分斜視図
（ｂ）本発明の実施例６における手元操作部を人体載置部に固定収納時の部分斜視図
【図１３】本発明の実施例７における人体載置部の構成斜視図
【図１４】本発明の実施例７における図１３ｈ−ｈ’部の断面図
【図１５】本発明の実施例８における人体載置部の分解斜視図
【図１６】本発明の実施例８における図１５ｃ−ｃ’部の断面図
【図１７】本発明の実施例９における人体載置部の分解斜視図
【図１８】本発明の実施例９における図１７ｄ−ｄ’部の断面図
【図１９】本発明の実施例１０における人体載置部の分解斜視図
【図２０】本発明の実施例１０における図１９ｅ−ｅ’部の断面図
【図２１】本発明の実施例１１における人体載置部の分解斜視図
【図２２】本発明の実施例１１における図２１ｆ−ｆ’部の断面図
【図２３】本発明の実施例１２における人体載置部の分解斜視図
【図２４】本発明の実施例１２における図２３のｇ−ｇ’部の断面図
【図２５】本発明の実施例１３における人体載置部と手元操作部の斜視図
【図２６】本発明の実施例１３における人体載置部にスリットを設けた凹部の部分斜視図
【図２７】本発明の実施例１４における生体情報測定装置のブロック図
【図２８】本発明の実施例１５における把持部と人体載置部からケーブルを外した時の外観図
【図２９】本発明の実施例１５における手元操作部と人体載置部からケーブルを外した時の外観図
【図３０】本発明の実施例１７における生体情報測定装置の使用時の説明図
【図３１】従来の生体情報測定装置の外観図
【符号の説明】
１、１ａ、１ｂ、１ｃ、１ｄ  足部電極
２  人体載置部
３、３ａ、３ｂ  手部電極
４  把持部
５  キー群（入力手段）
６  液晶表示器（報知手段）
７  ケーブル
８  凹部
９  インピーダンス測定手段
９ａ  定電流電源部
９ｂ  人体抵抗電位検出部
１０  被測定者
１１  マイクロコンピュータ（計算手段）
１２  手元操作部
１２ａ  手元操作部の凸部
１２ｂ  ロック穴
１３  ロックつまみ
１４  基台部
１５  踏み台
１６  カバー
１７  スリット
１８  重量測定手段
１９  カールコード
２０  コネクタ
２１  フット電極部
２２  本体
２３  コネクタ差込穴
【図１】
0004423797.tif 000002
【図２】
0004423797.tif 000003
【図３】
0004423797.tif 000004
【図４】
0004423797.tif 000005
【図５】
0004423797.tif 000006
【図６】
0004423797.tif 000007
【図７】
0004423797.tif 000008
【図８】
0004423797.tif 000009
【図９】
0004423797.tif 000010
【図１０】
0004423797.tif 000011
【図１１】
0004423797.tif 000012
【図１２】
0004423797.tif 000013
【図１３】
0004423797.tif 000014
【図１４】
0004423797.tif 000015
【図１５】
0004423797.tif 000016
【図１６】
0004423797.tif 000017
【図１７】
0004423797.tif 000018
【図１８】
0004423797.tif 000019
【図１９】
0004423797.tif 000020
【図２０】
0004423797.tif 000021
【図２１】
0004423797.tif 000022
【図２２】
0004423797.tif 000023
【図２３】
0004423797.tif 000024
【図２４】
0004423797.tif 000025
【図２５】
0004423797.tif 000026
【図２６】
0004423797.tif 000027
【図２７】
0004423797.tif 000028
【図２８】
0004423797.tif 000029
【図２９】
0004423797.tif 000030
【図３０】
0004423797.tif 000031
【図３１】
0004423797.tif 000032